(57)【要約】【課題】開封後にノベルティカードを分離しても容器を再度閉蓋でき、蓋材自体の大きさに制約されることなくノベルティカードを形成できるノベルティカードを内蔵した食品用容器のシート状蓋材を提供すること。【解決手段】容器１００の上縁部に設けられるシート状蓋材１を、シート本体２と該シート本体２の表面に剥離可能に貼着されるラベル状部３とによって形成し、シート本体２のラベル状部３によって被覆される部位に、外枠部２５とその内側の１又は２以上の遊離部２４とをハーフカット線１１により分断可能に形成し、シート本体２表面からラベル状部３を剥離した際に、該ラベル状部３裏面に遊離部２４が貼着されてシート本体２に開口部１４が形成されるように構成すると共に、前記１又は２以上の遊離部２４の少なくとも１つによって前記ラベル状部３の裏面から分離可能なノベルティカード２００を構成する。【選択図】          図５
2004155472.tif 000002
【特許請求の範囲】
【請求項１】
容器の上縁部に設けられると共にノベルティカードを有してなるシート状蓋材であって、前記蓋材を、シート本体と該シート本体の表面に剥離可能に貼着されるラベル状部とによって形成し、シート本体のラベル状部によって被覆される部位に、外枠部とその内側の１又は２以上の遊離部とをハーフカット線により分断可能に形成し、シート本体表面からラベル状部を剥離した際に、該ラベル状部裏面に遊離部が貼着されてシート本体に開口部が形成されるように構成すると共に、前記１又は２以上の遊離部の少なくとも１つによって前記ラベル状部の裏面から分離可能なノベルティカードを構成したことを特徴とする食品用容器のシート状蓋材。
【請求項２】
前記シート本体及びラベル状部は、紙材又は樹脂フィルムを基材とし、該シート本体及びラベル状部の少なくとも一方が遮光性を有すると共に、前記ラベル状部は前記シート本体の表面に剥離後再接着可能な粘着剤を介して貼着されていることを特徴とする請求項１記載の食品用容器のシート状蓋材。
【請求項３】
前記遮光性は、４００ｎｍ以下の紫外線の遮光率が９５％以上であることを特徴とする請求項２記載の食品用容器のシート状蓋材。
【請求項４】
前記ラベル状部は、前記シート本体の外枠部と重合する位置の一部に、該シート本体に対して剥離不能となる接着部が形成されていることを特徴とする請求項１、２又は３記載の食品用容器のシート状蓋材。
【発明の詳細な説明】
【０００１】
【発明の属する技術分野】
本発明は、注水後に電子レンジ調理したり、注湯調理することにより飲食が可能となるインスタント食品や、菓子等のスナック食品、ふりかけ等の振り出し食品等の食品用容器の蓋材として用いられるシート状の蓋材に関し、詳しくは、開封した際にノベルティカードが現れるようにしたノベルティカード付きのシート状蓋材に関する。
【０００２】
【従来の技術】
従来、かかるインスタント食品や、スナック食品、振り出し食品等の包装形態としては、カップ状の容器の上縁部にシート状の蓋材が接着されてなるものが知られている。このような食品用容器は、蓋材を容器の開口部の全面で剥離することにより、容器の内容物を飲食するために開口される構造となっている。
【０００３】
かかる包装形態では、販売促進目的で或いは消費者とのコミュニケーションを図る目的で、例えばくじ引きや応募チャレンジ、ポイント集め等のためのノベルティカードを内容物と共に収容し、容器を開封した際にこのノベルティカードを取り出せるようにしているものがある。
【０００４】
しかし、ノベルティカードを内容物と共に容器内部に収容する場合は、容器入り食品の一連の製造工程中に、ノベルティカードを収容するための工程を別途設けなくてはならず、また、ノベルティカードの未収容や重複収容等が発生する可能性もある。更に、容器の上縁部に接着する前に、シート状蓋材の表面又は裏面に、別途作成したノベルティカードを貼着することも考えられるが、貼着工程を要する等、上記同様の問題がある。
【０００５】
このため、予めシート状蓋材の裏面にノベルティ用の印刷情報、例えばくじ引きの場合の「当たり」、「はずれ」の情報や、ポイント集めの場合のポイント数等を形成しておき、消費者が蓋材を開封した際にそれら印刷情報を目視できるようにし、飲食後等により蓋材が不要となったときに容器上縁部から分離することで、そのシート状蓋材自体をノベルティカードとして利用させることにより、ノベルティカードを個々の容器内部に収容する作業や、別途作成したノベルティカードを容器に接着する前に蓋材に貼着する作業を不要とすることも考えられるが、この場合以下の問題がある。
【０００６】
即ち、シート状蓋材自体をノベルティカードとして利用する場合、かかるシート状蓋材が、注水後に電子レンジ調理したり、注湯調理により飲食が可能となるインスタント食品用容器に用いられる場合には、一旦開封して注水又は注湯した後に調理のために再度閉封する必要があり、内面側が調理時の蒸気に晒されることにより、調理後又は飲食後に容器から分離し、例えば当たりくじの応募券としてのノベルティカードとして利用する際、濡れた面を乾燥する手間を要するといった問題がある。
【０００７】
また、スナック食品やふりかけ等の振り出し食品用の容器の場合には、シート状蓋材をノベルティカードとして利用するために早々に取り去ってしまうと、その後は閉蓋することができなくなってしまう問題がある。
【０００８】
更に、シート状蓋材自体をノベルティカードとして利用すると、そのノベルティカードの大きさは蓋材自体の大きさとなるため、ノベルティカードを例えば上記のように応募券として利用する場合、必要以上に大きくならざるを得ず、特に容器の高さ寸法よりも開口径が大きいどんぶり型の容器に用いられる蓋材の場合には、極めて大判のものとなってしまい、ノベルティカードとしての取り扱い性に難点がある。
【０００９】
なお、一旦開封した後に再封可能としたシート状蓋材は公知であるが（特許文献１〜３）、いずれにも上記問題点の指摘はなく、それを解決する手段についても何ら開示はない。
【００１０】
【特許文献１】特開平９−１１００７７号公報
【特許文献２】特開２００１−１２２３２０号公報
【特許文献３】特開２００１−１５８４７０号公報
【００１１】
【発明が解決しようとする課題】
そこで、本発明の課題は、開封後にノベルティカードを分離しても容器を再度閉蓋することが可能であり、また、蓋材自体の大きさに制約されることなくノベルティカードを形成することが可能なノベルティカードを内蔵した食品用容器のシート状蓋材を提供することにある。
【００１２】
【課題を解決するための手段】
請求項１記載の発明は、容器の上縁部に設けられると共にノベルティカードを有してなるシート状蓋材であって、前記蓋材を、シート本体と該シート本体の表面に剥離可能に貼着されるラベル状部とによって形成し、シート本体のラベル状部によって被覆される部位に、外枠部とその内側の１又は２以上の遊離部とをハーフカット線により分断可能に形成し、シート本体表面からラベル状部を剥離した際に、該ラベル状部裏面に遊離部が貼着されてシート本体に開口部が形成されるように構成すると共に、前記１又は２以上の遊離部の少なくとも１つによって前記ラベル状部の裏面から分離可能なノベルティカードを構成したことを特徴とする食品用容器のシート状蓋材である。
【００１３】
この請求項１記載の発明によれば、ラベル状部を剥離した後のシート本体の一部である遊離部によってノベルティカードが構成されるため、その大きさを蓋材の大きさに制約されることなく形成することができ、また、開封後に直ちにラベル状部から剥離してシート状蓋材から分離しても、ラベル状部によって開口部を再度閉蓋させることができる。
【００１４】
また、２以上の遊離部の少なくとも１つによりノベルティカードを構成することにより、注水又は注湯のため或いは内容物取り出しのための開口部を形成するための遊離部とは別個の遊離部によってノベルティカードを形成することもできるため、ノベルティカードの設計の自由度を向上させることができる。
【００１５】
請求項２記載の発明は、前記シート本体及びラベル状部は、紙材又は樹脂フィルムを基材とし、該シート本体及びラベル状部の少なくとも一方が遮光性を有すると共に、前記ラベル状部は前記シート本体の表面に剥離後再接着可能な粘着剤を介して貼着されていることを特徴とする請求項１記載の食品用容器のシート状蓋材である。
【００１６】
この請求項２記載の発明によれば、紙材又は樹脂フィルムを基材とするシート本体及びラベル状部の少なくとも一方が遮光性を有し、ラベル状部を摘んで開封し、開口部から注水又は注湯等の後、シート本体に対して再封可能であることで、従来、アルミ箔のような金属材料の使用によって実現していた遮光性及びデッドホールド性を、金属材料を使用することなく紙材又は樹脂フィルムによって実現することができる。このため金属探知器を利用した異物混入検査や電子レンジでの調理を可能とし、また、問題なく焼却できて環境面にも優しいシート状蓋材を構成することができる。
【００１７】
請求項３記載の発明は、前記遮光性は、４００ｎｍ以下の紫外線の遮光率が９５％以上であることを特徴とする請求項２記載の食品用容器のシート状蓋材である。
【００１８】
この請求項３記載の発明によれば、容器の内容物の変色や酸化を防止する効果が高く、長期に亘る賞味期限保存のために有効である。
【００１９】
請求項４記載の発明は、前記ラベル状部は、前記シート本体の外枠部と重合する位置の一部に、該シート本体に対して剥離不能となる接着部が形成されていることを特徴とする請求項１、２又は３記載の食品用容器のシート状蓋材である。
【００２０】
この請求項４記載の発明によれば、上記接着部においてラベル状部がシート本体から分離不能となるため、ラベル状部を位置ずれなく容易にシート本体に対して再封することが可能となる。
【００２１】
【発明の実施の形態】
以下、本発明の実施の形態について図面を用いて説明する。
【００２２】
図１は、本発明に係るシート状蓋材をカップ状を呈する食品用容器の蓋材として使用した場合の一例を示す概観斜視図であり、図２は、本発明に係るシート状蓋材１の平面図、図３は、図２の（ＩＩＩ）−（ＩＩＩ）線に沿う断面図である。
【００２３】
シート状蓋材１は、平面視形状が容器１００の上縁部の形状とほぼ一致する略円形状を呈しており、図３に示すように、容器１００の上縁部に貼着されるシート本体２と、該シート本体２の表面（容器１００の上縁部への貼着面と反対面）に積層されるラベル状部３とを有して構成されている。
【００２４】
シート本体２は基材２１の裏面側に、容器１００の上縁部にヒートシールするためのシーラント樹脂層２２が、例えばＴダイ方式により２５μｍ程度の厚みでラミネートされている。このシーラント樹脂層２２には、ポリエチレン、ポリプロピレン、エチレン酢酸ビニルコポリマー、ポリエステル等の樹脂が単独で又は適宜配合して用いられる。また、シーラント樹脂層２２は容器１００の種類によって適宜変更することが好ましく、例えば容器１００が発泡スチロール製である場合、ヒロダイン社製の押出しコーティング用ホットメルト「ヒロダイン７５７５」を用い、容器１００が紙にポリエチレン樹脂をラミネートしたものである場合、ヒロダイン社製「ヒロダイン７５６２」を用いるようにすると良い。
【００２５】
基材２１には、ここではアルミ箔等の金属材料を一切使用することなく、紙材を使用している。紙材としては、コート紙、アート紙の片面又は両面塗工紙を用いることができる。いずれの場合でも、食品の安全性のためには蛍光染料を使用しない用紙を用いることが好ましい。また、基材２１には、シーラント樹脂層２２を形成する前に、紙材の強度向上とシーラント樹脂の密着性を図る目的で、ポリエチレンやポリプロピレン或いはポリエステルの樹脂フィルムを裏面側にラミネートすることも好ましい。
【００２６】
基材２１の表面側には粘着剤層２３が塗布形成され、この粘着剤層２３を介してその表面側にラベル状部３が貼着されている。
【００２７】
ラベル状部３は基材３１の裏面側に剥離層３２を有して構成されており、該剥離層３２が上記シート本体２の粘着剤層２３の表面に貼着される。
【００２８】
このラベル状部３の基材３１にも、アルミ箔等の金属材料を一切使用することなく、紙材が用いられており、特にここでは遮光性を有する遮光紙が用いられている。この遮光紙は、例えば片面コート紙や片面アート紙の裏面全体に、カーボンブラック、黒鉛、有機又は無機の有色顔料や白色顔料を主成分とする遮光剤に澱粉、ポリビニルアルコール、アクリル系又はスチレン−ブタジエン系等の製紙コーティングに使われる水性接着剤からなる混合液を、固形分で７〜２５ｇ／ｍ２を、エアナイフコータ、ブレードコータ、ロールコータ、バーコータ等によりコーティングした後、スーパーカレンダー等により平滑化して得ることができる。また、裏面の遮光塗料の着色程度をカバーするために、白色顔料と接着剤からなる白色塗料を７〜２０ｇ／ｍ２程度上塗りしても良い。更に、上質紙の抄造中にカーボンブラック、有色顔料や染料を抄込み又は表面コーティングした着色紙をベースに、その両面全体にカオリン、炭酸カルシウム、二酸化チタン、硫酸バリウム等の白色顔料と接着剤からなる混合液を、それぞれ７〜２５ｇ／ｍ２コーティングし平滑化して得ることもできる。
【００２９】
遮光性能は、容器１００の内容物の変色や酸化を防止し、賞味期限保存のために、特に４００ｎｍ以下の紫外線の遮光率が９５％以上であることが好ましい。これは、日本分光（株）製の紫外線可視分光光度計「Ｕ−５５０型」を用いて、例えば１９０〜９００ｎｍの遮光率を測定し、そのときの４００ｎｍ以下の紫外光線の遮光率として測定することができる。より好ましくは９９．５％以上の遮光性を有することである。
【００３０】
また、容器１００の内容物を安定して保存するためには、ラベル状部３は防湿性やガスバリヤー性を有していることがより好ましい。かかる防湿性やガスバリヤー性は、この基材３１の表裏いずれかの面全体に、アクリル系エマルジョンやワックス系エマルジョンを塗布する、或いはポリエチレン、ポリプロピレン、ポリエステル、ナイロン、エチレンビニルアルコール等の樹脂又はフィルムをコーティング又はラミネートすることによって得ることができる。
【００３１】
一方、剥離層３２は、上記基材３１の裏面全体にシリコン等を含む剥離ニス等の適宜の剥離剤を塗布するか、ポリエチレン、ポリプロピレン等の樹脂をラミネートすることによって形成することができる。
【００３２】
かかるラベル状部３を貼着するためにシート本体２の表面に設けられる粘着剤層２３に用いられる粘着剤としては、天然ゴム系、合成ゴム系、アクリル系、ポリオレフィン系、ポリアミド系、ポリエステル系、ウレタン系、エチレンビニルアルコール系等の粘着剤を用いることができるが、後述するようにラベル状部３をシート本体２の表面から剥離した後、元に戻せば再接着して再封可能な再接着機能を有する粘着剤を使用することが好ましい。上記のように遮光性を有するラベル状部３を一旦開封し、後述するシート本体２の開口部１４（図４参照）から注水又は注湯等を行った後、再封可能とすることで、従来、アルミ箔のような金属材料の使用によって実現していた遮光性及びデッドホールド性を、金属材料を使用することなく実現することができる。特に本実施形態のようにシート本体２にも金属材料を用いないことで、金属探知器を利用した異物混入検査が可能となる上に、電子レンジ調理を行う場合にも容易に再封可能となり、また、問題なく焼却できて環境面にも優しいシート状蓋材１を構成することができる。
【００３３】
また、容器１００に収容される食品が油脂及び油脂性食品である場合は、油性食品擬似溶媒のｎ−ヘプタンにできる限り溶出しない粘着剤を使用することが更に好ましい。このような粘着剤としては、例えば、ＢＡＳＦディスパーション社製紫外線硬化型無溶剤アクリル系共重合体「ａｃレジンＡ−２０３ＵＶ」や同じく「Ａ−２５８ＵＶ」及び「ＤＳ３５３２」や、ノーテープ工業社製の紫外線硬化型アクリル系ホットメルト粘着剤（成分  アクリル酸エステル共重合体）「アクリメルトＵＶ５００」や同じく「ＵＶ３００」の他、同じくノーテープ工業社製のアクリル系ホットメルト粘着剤「アクリメルトＮｏ４５８０」等が挙げられる。
【００３４】
このようにして構成されるラベル状部３は、シート本体２に比べて小径状に形成することもできるが、図示するようにシート本体２と同一形状、同一大とすることが好ましい。ラベル状部３をシート本体２よりも小径とすると、シート本体２のラベル状部３によって覆われない部分にも上記したような遮光性や防湿性、ガスバリヤー性を持たせる必要がある上に、シート状蓋材の上面にラベル状部のある部分とない部分とができて凹凸状となるため、多段状に積み重ねた状態で一枚ずつ吸引して容器に貼着する作業が困難となるためである。ラベル状部３をシート本体２と同一形状、同一大とすることで、このような問題を解消することができる。
【００３５】
シート本体２及びラベル状部３に使用される紙材の米坪は、容器１００の大きさ、即ちシート状蓋材１が設けられる上縁部の大きさによっても決められるべきであるが、強度の面を考えれば、一般的には８０〜２００ｇ／ｍ２程度が好ましい。また、例えばインスタント食品の場合のように、調理完了後に飲食する目的で容器１００の上縁部に貼着されているシート本体２から剥離してシート状蓋材１全体を取り去る場合に、紙破れせずに剥離させるために、紙の強度面から針葉樹パルプを少なくとも１０％以上配合して抄紙することが好ましい。
【００３６】
以上のようにシート本体２の表面にラベル状部３が貼着されて積層されたシート状蓋材１には、図３に示すように、シート状蓋材１の裏面（図３における下側面）からシート本体２の粘着剤層２３まで達するが、ラベル状部３を貫通しない打ち抜き加工（ハーフカット）が施される。図１〜３における符号１１はその打ち抜き加工により形成されたハーフカット線を示している。また、符号１２は、ハーフカット線１１と同様にシート本体２の粘着剤層２３まで達するが、ラベル状部３を貫通しないハーフカット線であり、ハーフカット線１１と同時形成される。
【００３７】
シート状蓋材１におけるハーフカット線１２よりも先端側端部は、ラベル状部３を開封する際の開封用タブ１３として機能する。このハーフカット線１２は、図２に示すように平面視直線状に形成するものに限らず、例えば容器１００の上縁部の外周形状にほぼ沿うような曲線状に形成されるものであっても良い。
【００３８】
なお、本実施形態では、このようにシート状蓋材１にハーフカット線１１を形成しても、ラベル状部３が遮光性を有しているため、ハーフカット線１１から容器１００の内容物に向けて漏光する心配はない。また、ラベル状部３が防湿性やガスバリヤー性を有する場合、ハーフカット線１１の形成によってこれらの性能が損なわれる心配もない。
【００３９】
シート状蓋材１は、ハーフカット線１１においてシート本体２が外枠部２５とその内側の遊離部２４とに分断可能とされる。従って、この外枠部２５裏面を容器１００の上縁部に添着し、シーラント樹脂層２２を熱シールして接着した後、開封用タブ１３を摘んでシート本体２の先端側端部が貼着されたままのラベル状部３を上方にめくり上げ、これを開封用タブ１３の形成位置とは反対方向（図２における左方向）に引っ張っていくと、シート本体２は、ハーフカット線１１及び１２において分離し、ハーフカット線１２よりも先端側端部はそのまま開封用タブ１３として機能すると共に、シート本体２におけるハーフカット線１１の内側の遊離部２４はラベル状部３に粘着剤層２３によって貼着された状態とされ、容器１００の上縁部に接着されている外枠部２５から分断された状態とされる。このとき、シート本体２は、上記遊離部２４の表面側にラベル状部３が貼着されているため、この遊離部２４と外枠部２５との位置関係が変動することはなく、この位置関係はハーフカット前の状態のまま保持される。
【００４０】
このようにラベル状部３をシート本体２から引き剥がすことで、シート本体２における上記遊離部２４が外枠部２５から分断されることにより、図４に示すように、シート状蓋材１には、注水又は注湯用或いは内容物取り出し用の開口部１４が形成される。シート状蓋材１は、このようにラベル状部３がシート本体２から引き剥がされて開口部１４が形成された状態にあるとき、シート本体２の遊離部２４は、ラベル状部３の剥離層３２に貼着されているため、ラベル状部３の裏面から容易に剥離可能である。従って、ラベル状部３をシート本体２から引き剥がして開口部１４を開口させた後、この状態でラベル状部３の裏面からシート本体２の遊離部２４を下方へめくれば、この遊離部２４をラベル状部３から引き剥がすことができる（図５及び図６参照）。
【００４１】
本発明に係るシート状蓋材１は、このようにハーフカット線１１によってシート本体２から分断可能とされる遊離部２４によってノベルティカード２００を構成している。このノベルティカード２００は、シート本体２の一部によって形成されるため、シート状蓋材１の製造時に同時に形成でき、別個に製造したものを容器の上縁部に接着する前にわざわざ貼着する等の必要がない。また、一旦剥がしたラベル状部３を元の状態に戻せば、開口部１４はラベル状部３によって閉塞され、容器１００を閉蓋できるため、注水又は注湯後に再封して調理が必要な食品の場合であっても、開封後、調理時の蒸気に晒される前にノベルティカード２００をラベル状部３の裏面から剥離することも可能であり、また、再封保存が必要な食品の場合にも、開封後に直ちにノベルティカード２００を分離しても再封機能に何ら支障はない。
【００４２】
本発明においてノベルティカード２００とは、例えば、各種のキャンペーン情報、レシピ案内、コイン等で削るスクラッチ遊び、くじ引き、ポイント集めのポイント情報が形成されたカードの他、カードに記載されているＩＤナンバーを入力することによるゲーム遊びやポイント集め、応募チャレンジ等を電話やインターネットで申込み、いわゆるインスタントウィン方式でその場で当落判定し、また同時に顧客データベースを構築・分析してクライアントへフィードバックすることをも可能とするＩＴプロモーションシステムとして機能するカード等のように、消費者とのコミュニケーションを図り得ると共に消費者にとって有益な情報を形成（印刷）したシート状の物品であり、このようなノベルティカード２００をシート状蓋材１から分離可能とすることで、ノベルティカード２００の収集を容易にすることができる。しかも、このノベルティカード２００はシート本体２の遊離部２４によって構成されるため、シート状蓋材１全体の大きさに比べて小さく形成され、カードとしての取り扱い性を大きく損なう心配もない。
【００４３】
ノベルティカード２００には、遊離部２４の表面（ラベル状部３の裏面と接する側の面）及び／又は遊離部２４の裏面に、カードの目的に応じた単色又は多色の適宜の印刷情報を有している。即ち、シート状蓋材１には、ラベル状部３の表面、遊離部２４によって被覆されるラベル状部３の裏面、遊離部２４の表面及び遊離部２４の裏面の合計４面（４頁）が現出する（本明細書ではこれらを順にＡ面、Ｂ面、Ｃ面、Ｄ面と呼ぶこととする）が、このうちのＣ面及び／又はＤ面に、例えばノベルティカード２００が所定ポイントを集めることにより所望の商品と交換可能とするポイント集めのためのカードである場合は、図６に示すように、そのポイント数を示す数字等の文字情報ｃ、ｄを印刷する。もちろん、Ｂ面にも適宜の印刷情報（例えば、図示するようにポイント集めの場合のポイントの送り先情報等）を形成してもよい。
【００４４】
本実施形態に示すように、シート状蓋材１の最も表面側に位置するラベル状部３に遮光性を持たせるようにしたものは、その裏面側を外部から透視することが実質的に不可能となり、ラベル状部３が開封されるまでノベルティカード２００に付与された印刷情報ｃ、ｄの秘密性が維持されるため、開封されるまでの秘密性が要求される情報をノベルティカード２００に採用する場合に特に好ましい。
【００４５】
本実施形態では、ノベルティカード２００の形状及び大きさは開口部１４の形状及び大きさとなり、この開口部１４の形状及び大きさは上記ハーフカット線１１を形成する時の形状及び大きさによって決定される。その形状は、内容物の種類にもよるが、図示する円形状の他、楕円形状、矩形状、その他の多角形状とすることもできる。また、その大きさは、容器１００の上縁部に貼着される外枠部２５となる部位を残して適宜の大きさとすることができる。例えば内容物が注湯調理を要するカップ麺の場合には、開口部１４の口径は、注湯動作を容易且つ安全に行うことができるように大きくとることが望まれるため、シート本体２の外径に対して６０％以上の大きさとすることが好ましい。容器１００の上縁部の外周から開口部１４までの間隔が小さくなることで、特に据え置き型のポットから注湯する場合に注湯動作が行い易くなるためであり、また、スープやかやく類を包装した小袋を容器１００内に収容しているものでは、これら小袋を取り出し易くすることができるためである。このようなカップ麺の場合、より好ましくは８０％以上の大きさとすることである。
【００４６】
また、注水後に電子レンジ調理を行う場合でも、上記同様の大きさとすることが望ましいが、注水又は注湯を要する場合の開口部１４の大きさの下限は、注水又は注湯の際に注ぎこぼしなく安全に作業を行えるようにするために、水道の蛇口やポット等の注ぎ口の大きさを考慮して、開口径が５０ｍｍ以上となるように形成することが好ましい。開口部１４を注水又は注湯用とする場合には、容器１００の上縁部に可及的近接するように、外枠部２５に近接した位置に設けるようにすると良い。
【００４７】
内容物が菓子等のスナック食品やふりかけ等の振り出し食品である場合には、内容物の取り出し易さを考慮して開口部１４の大きさを適宜決定することができる。
【００４８】
かかるシート状蓋材１は、開封用タブ１３を摘んで開封して開口部１４を開口させた後、ノベルティカード２００を分離しても、引き剥がされていたラベル状部３をシート本体２表面側の元の位置に貼り戻してやれば、開口部１６を容易に閉塞して再封できるが、この貼り戻しを位置ずれなく容易にするため、ラベル状部３におけるシート本体２の外枠部２５と重合する位置の一部、詳細には、図２に示すように、ラベル状部３におけるシート本体２の外枠部２５と重合する上記開封用タブ１３の形成位置とは反対側の端部に、基材３１が直にシート本体２の粘着剤層２３と接するようにすることにより、ラベル状部３を剥離不能とする接着部３３を形成し、この接着部３３においてラベル状部３をシート本体２に接着された状態のままにしておくようにすることで、ラベル状部３を部分的にシート本体２上に固定させておくことが好ましい。
【００４９】
このような接着部３３は、この接着部３３に相当する部分に剥離剤、例えば剥離ニスを塗布しないようにしたり、剥離不能とするための接着剤を部分的に塗布すること等によって形成することができる。また、ラベル状部３の開封状態を容易に維持できるようにするため、ラベル状部３において、この接着部３３に相当する部分とそれ以外の剥離部分との接線部３４に、ミシン又は罫線を入れてシート本体２に対して喰い込み状態を作るようにすることが好ましい。
【００５０】
また、図示しないが、内容物がカップ麺のように調理完了後に飲食するものの場合には、シート本体２をも除去してから飲食することを考慮して、このシート本体２の除去を容易とするための除去用タブを、シート本体２における上記開封用タブ１３と同一方向又は別方向に設けるようにしてもよい。
【００５１】
なお、このシート状蓋材１の更に表面に、図示しない単層又は多層構造のラベルを貼着することにより、印刷情報の掲載頁をより一層増大させることも可能である。
【００５２】
ハーフカット線１１によってシート本体２に形成される遊離部２４は、以上で図示説明した１つに限らず、次に説明するように２以上の複数であっても良い。
【００５３】
図７は、本発明に係るシート状蓋材１の別の実施形態を示す斜視図であり、ラベル状部３を開封してノベルティカード２００を分離した状態を示している。図１〜６と同一構成には同一符号を付してある。
【００５４】
この実施形態では、シート本体２に開封用タブ１３を形成するためのハーフカット線１２以外に、２つのハーフカット線１１ａ、１１ｂを形成して、ラベル状部３を剥離した際、図示するように２つの開口部１４ａ、１４ｂが開口形成されるようにしている。これによりラベル状部３の裏面には、シート本体２から分断された第１の遊離部２４ａと第２の遊離部２４ｂの２つ遊離部が剥離可能に貼着される。
【００５５】
一方の第１の遊離部２４ａは、例えば容器１００の上縁部面積の略半分の大きさを有する大遊離部としており、他方の第２の遊離部２４ｂは、第１の遊離部２４ａよりも小さな小遊離部としている。ここで、第１の遊離部２４ａにより形成される開口部１４ａは、注水又は注湯のため或いは内容物取り出しのための開口部として利用することができ、他方の第２の遊離部２４ｂにより開口部１４ｂが形成されるが、これは特に利用することなく、この第２の遊離部２４ｂによってノベルティカード２００を構成している。ここではポイント集めのためのポイント数の情報が形成されたカードを例示している。
【００５６】
この実施形態によれば、ノベルティカード２００を、注水又は注湯のため或いは内容物取り出しのための開口部１４ａを形成する第１の遊離部２４ａとは別個の第２の遊離部２４ｂによって形成できるため、上記開口部１４ａの形状及び大きさに限定されることなく、ノベルティカード２００の設計の自由度を向上させることができるようになる。この場合、ノベルティカード２００となる遊離部はシート本体２に２つ以上形成されるようにしても良い。
【００５７】
また、図８は、本発明に係るシート状蓋材１の更に別の実施形態を示す斜視図であり、ラベル状部３を開封してノベルティカード２００を分離した状態を示している。図１〜６と同一構成には同一符号を付してある。
【００５８】
この実施形態では、シート本体２に開封用タブ１３を形成するためのハーフカット線１２以外に、２つのハーフカット線１１ａ、１１ｂを形成する点では図７と同一であるが、一方のハーフカット線１１ｂを他方のハーフカット線１１ａの内側に形成することにより、二重のハーフカット線を形成している。従って、ラベル状部３を剥離した際は、シート本体２には１つの開口部１４が開口形成される点では図１〜６と同一であるが、これによりラベル状部３の裏面に剥離可能に貼着されるシート本体２から分断された遊離部は、開口部１４と同一外形の第１の遊離部２４ｃと、この第１の遊離部２４ｃ内に形成された第２の遊離部２４ｄとで構成される。
【００５９】
ここで、第１の遊離部２４ｃにより形成される開口部１４は、従来通り注水又は注湯のための開口部或いは内容物取り出しのための開口部として利用されるが、この第１の遊離部２４ｃ内に形成される第２の遊離部２４ｄによりノベルティカード２００を構成している。ここでもポイント集めのためのポイント数の情報が形成されたカードを例示している。
【００６０】
この実施形態によれば、注水又は注湯或いは内容物取り出しの便宜を考慮して開口部１４を最大限の大きさに形成しても、この開口部１４の形状及び大きさとは別個に任意の形状及び大きさのノベルティカード２００を構成することができるため、ノベルティカード２００の設計の自由度を更に向上させることができるようになる。この場合、ノベルティカード２００となる遊離部は、第１の遊離部２４ｃ内に２つ以上形成されるようにしても良い。
【００６１】
次に、本発明に係るシート状蓋材１を製造するのに好適な製造装置の一例を挙げて、その製造方法について説明する。
【００６２】
図９は、シート状蓋材１を製造する製造装置の給紙ラインを示す工程図である。同図において、符号Ｒ１は、図３に示すシート本体２となる所定幅を持ったシート基材４の給紙ロールであり、その一面には図３におけるシーラント樹脂層２２となるシーラント樹脂層４ａが予め設けられている。また、符号Ｒ２は、図３に示すラベル状部３となる所定幅を持ったラベル基材５の給紙ロールであり、その一面には図３における剥離層３２となるポリエチレン樹脂等による剥離層５ａが予め設けられている。
【００６３】
この製造装置の給紙ラインにセットされた給紙ロールＲ１からは、シーラント樹脂層４ａ付きのシート基材４が図示左方向へ送り出されて一次シート基材印刷機Ｐ１に連続的に供給され、また、給紙ロールＲ２からは、剥離層５ａ付きのラベル基材５が同じく図示左方向へ送り出されて一次ラベル印刷機Ｐ３ａ、Ｐ３ｂに連続的に供給される。
【００６４】
一次シート基材印刷機Ｐ１は、ここでは凸版輪転印刷機からなり、ここでシート基材４のシーラント樹脂層４ａが形成されている面に、多色（ここでは順にＰ１１、Ｐ１２による２色）の文字、図柄等が印刷される。この印刷面は、図３に示すシート状蓋材１のＤ面、即ちノベルティカード２００の裏面に相当する面であり、ここで印刷された文字、図柄等が印刷情報ｄとなる。
【００６５】
一次シート基材印刷機Ｐ１を経て所望の印刷情報が印刷されたシート基材４は、紫外線乾燥機４１により印刷面が乾燥された後、続いて二次シート基材印刷機Ｐ２に供給される。この二次シート基材印刷機Ｐ２も、ここでは凸版輪転印刷機からなり、ここでシート基材４のシーラント樹脂層４ａが形成される面とは反対側の面に、多色（ここでは順にＰ２１、Ｐ２２による２色）の文字、図柄等が印刷される。この印刷面は、図５及び図６に示すシート状蓋材１のＣ面、即ちラベル状部３の裏面に接する面であり、ここで印刷された文字、図柄等が印刷情報ｃとなる。シート基材４は、このようにして印刷が施された後、紫外線乾燥機４２により印刷面が乾燥され、糊付け装置４３に送られる。この糊付け装置４３では、シート基材４の印刷面側に粘着剤が塗布され、これが図３に示す粘着剤層２３となる。この後、紫外線乾燥機４４で乾燥されるが、この粘着剤にホットメルト型の粘着剤又は紫外線硬化型の粘着剤を用いると、後工程において乾燥工程を不要とすることができるため、製造上有利である。
【００６６】
一方、一次ラベル印刷機Ｐ３ａ、Ｐ３ｂもそれぞれ凸版輪転印刷機からなり、ここでラベル基材５の剥離層５ａが設けられた面に、多色（ここでは印刷機Ｐ３ａとＰ３ｂに亘って順にＰ３１ａ、Ｐ３１ｂ、Ｐ３２ｂ、Ｐ３２ａによる４色）の文字、図柄等が印刷される。この印刷面は、図５及び図６に示すシート状蓋材１のＢ面に相当する面であり、ここで印刷された文字、図柄等が印刷情報ｂとなる。ラベル基材５は、このようにして印刷が施された後、紫外線乾燥機５１により印刷面が乾燥され、次いで二次ラベル印刷機Ｐ４に送られる。
【００６７】
この二次ラベル印刷機Ｐ４も凸版輪転印刷機からなり、ここでラベル基材５の剥離層５ａとは反対側の面に、多色（ここでは順にＰ４１〜Ｐ４６による６色）の文字、図柄等が印刷される。この印刷面は、図１、図２及び図４に示すシート状蓋材１のＡ面に相当する面であり、ここで印刷された文字、図柄等が印刷情報ａとなる。この後、ラベル基材５は紫外線乾燥機５２に供給されて印刷面が乾燥される。
【００６８】
糊付け装置４３を経たシート基材４及び乾燥機５２を経たラベル基材５は、一対の貼り合せローラ６１、６２からなる貼り合せ装置６０において、シート基材４の粘着剤塗布面とラベル基材５の剥離層５ａ側の面とが互いに重合されて貼り合わされ、シート基材４とラベル基材５との積層シートが得られる。この積層シートは、次いで型抜き装置７０に供給され、ここで図２に示すようにシート状蓋材１の外形形状に型抜き加工されると同時に、積層シートにおけるシート基材４の側から、その粘着剤塗布面まで達するが、ラベル基材５を貫通しないハーフカット加工が施され、このハーフカット加工により、図３に示すハーフカット線１１、１２が形成される。このときのハーフカット加工の形状によって、図６〜図８に示されるノベルティカード２００がシート本体２となるシート基材４の一部によって形成される。
【００６９】
この型抜き装置７０を経た後、不要なシートを排紙ロールＲ３によって巻き取ると、型抜きされたシート状蓋材１が得られる。シート状蓋材１はベルトコンベアＢ上に載せられて搬送される。
【００７０】
かかる製造方法では、シート状蓋材１におけるシート本体２となるシート基材４を、給紙ロールＲ１から一次シート基材印刷機Ｐ１及び二次シート基材印刷機Ｐ２に供給し、更に、ラベル状部３となるラベル基材５を一次ラベル印刷機Ｐ３ａ、Ｐ３ｂ及び二次ラベル印刷機Ｐ４に供給して各々印刷した後、互いを重合させて貼り合わせ、これに所定のハーフカット加工を施すことにより、ノベルティカード付きのシート状蓋材１を同一ライン上で製造することが可能であり、極めて能率良くノベルティカード付きのシート状蓋材１を製造することができる。
【００７１】
シート状蓋材１のＡ〜Ｄの各面に設けられる各印刷情報ａ、ｂ、ｃ、ｄは、一次シート基材印刷機Ｐ１、二次シート基材印刷機Ｐ２、一次ラベル印刷機Ｐ３ａ、Ｐ３ｂ及び二次ラベル印刷機Ｐ４のインク数を適宜増減することにより、色数を任意に変更させることができる。
【００７２】
各印刷機は凸版輪転印刷機に代えて、フレキソ印刷機、オフセット印刷機、シルク印刷機等を用いても良く、また、これらの印刷機を組み合わせて使用しても良い。
【００７３】
また、上記態様では、一次シート基材印刷機Ｐ１で２色、二次シート基材印刷機Ｐ２で２色、一次ラベル基材印刷機Ｐ３ａ、Ｐ３ｂで４色、二次ラベル印刷機Ｐ４で６色の印刷を可能としているが、同一の製造ラインを用いて、シート基材４及びラベル基材５のそれぞれのパスを図１０に示すように変えることにより、色数を変更することも可能である。図１０に示す例では、図９に示す態様における二次シート印刷機Ｐ２と一次ラベル印刷機Ｐ３ｂとを用いて二次シート印刷機を構成し、図９に示す態様における一次ラベル印刷機Ｐ３ａのみで一次ラベル印刷機を構成している。このパス形態とすれば、図９と同一の製造ラインを用いて、一次シート基材印刷機Ｐ１で２色、二次シート基材印刷機Ｐ２、Ｐ３ｂで４色、一次ラベル基材印刷機Ｐ３ａで２色、二次ラベル印刷機Ｐ４で６色の印刷も可能となる。
【００７４】
以上の説明では、シート状蓋材１におけるシート本体１の表面側を粘着層２３とし、ラベル状部３の裏面側を剥離層３２としているが、これらの層をそれぞれ逆に設けるようにしても良い。この場合は、図１０に示す態様の製造ラインにおいて、二次シート基材印刷機Ｐ２、Ｐ３ｂにおけるＰ２１及びＰ３１ｂによって２色の印刷を施した後、Ｐ３２ｂによってシート基材４の表面側にメジューム（シリコンが紙に浸透するのを防止するバリアー処理）を施し、更にＰ２２によって剥離層とするためのシリコンを塗布し、紫外線乾燥機４２で乾燥する構成とすることもできる。
【００７５】
また、以上の説明では、ラベル状部３の基材３１に遮光性を付与させているが、漏光による内容物の影響が大きく問題とされない場合には、シート本体２の基材２１に遮光性を付与させるようにしても良く、更に、基材２１と３１の両者に遮光性を持たせるようにしても良い。この遮光性は遮光紙を使用するものに代えて、遮光性を有する樹脂フィルム（遮光フィルム）によって付与されるようにしても良い。
【００７６】
また、シート状蓋材１が貼着される容器１００は、図示する縦長のカップ状のものに限らず、所謂どんぶり型であっても良く、その平面視形状は円形状に限らず、矩形状であっても良いことはもちろんである。
【００７７】
【発明の効果】
本発明によれば、ラベル状部を剥離した後のシート本体の一部によってノベルティカードが構成されるため、その大きさを蓋材の大きさに制約されることなく自由度の高いものとすることができ、また、開封後に直ちにノベルティカードを分離しても再封使用することが可能なノベルティカードを内蔵したシート状蓋材を提供することができる。
【図面の簡単な説明】
【図１】本発明に係るシート状蓋材をカップ麺の容器の蓋材として使用した場合の概観斜視図
【図２】シート状蓋材の平面図
【図３】図２の（ＩＩＩ）−（ＩＩＩ）線に沿う断面図
【図４】シート状蓋材のラベル状部を一部引き剥がした状態を示す斜視図
【図５】シート状蓋材のラベル状部を引き剥がし、更にノベルティカードを一部引き剥がした状態を示す斜視図
【図６】シート状蓋材のラベル状部を引き剥がし、更にノベルティカードを分離した状態を示す斜視図
【図７】本発明に係るシート状蓋材の他の実施形態を示し、ノベルティカードを分離した状態を示す斜視図
【図８】本発明に係るシート状蓋材の更に他の実施形態を示し、ノベルティカードを分離した状態を示す斜視図
【図９】本発明に係るシート状蓋材を製造する製造装置の給紙ラインの一例を示す工程図
【図１０】本発明に係るシート状蓋材を製造する製造装置の給紙ラインの他の例を示す工程図
【符号の説明】
１：シート状蓋材
１１、１２：ハーフカット線
１３：開封用タブ
１４：開口部
２：シート本体
２１：基材
２２：シーラント樹脂層
２３：粘着剤層
２４：遊離部
２５：外枠部
３：ラベル状部
３１：基材
３２：剥離層
３３：接着部
３４：接線部
４：シート基材
４ａ：シーラント樹脂層
５：ラベル基材
５ａ：剥離層
４１、４２、４４、５１、５２：紫外線乾燥機
４３：糊付け装置
６０：貼り合せ装置
６１、６２：貼り合せローラ
７０：型抜き装置
１００：容器
２００：ノベルティカード
Ｐ１：一次シート基材印刷機
Ｐ２：二次シート基材印刷機
Ｐ３ａ、Ｐ３ｂ：一次ラベル印刷機
Ｐ４：二次ラベル印刷機
Ｒ１、Ｒ２：給紙ロール
Ｒ３：排紙ロール
ａ、ｂ、ｃ、ｄ：印刷情報
【図１】
2004155472.tif 000003
【図２】
2004155472.tif 000004
【図３】
2004155472.tif 000005
【図４】
2004155472.tif 000006
【図５】
2004155472.tif 000007
【図６】
2004155472.tif 000008
【図７】
2004155472.tif 000009
【図８】
2004155472.tif 000010
【図９】
2004155472.tif 000011
【図１０】
2004155472.tif 000012